(57)【要約】【課題】本発明はノートパソコン用放熱スタンドを開示した。【解決手段】本発明はノートパソコン用放熱スタンドを公示し、置き板を含み、前記置き板の前側端面には前方に開口したファンチャンバが左右対称に設置され、前記ファンチャンバの前側内壁には濾過網が固定的に装着され、前記ファンチャンバの後側には噛合チャンバが設置され、本発明はスタンドをベッドに置いて利用でき、支持管で支持でき、調整機構でスタンド全体の高度を調整でき、より多くの使用者の需要を満たし、また、回転機構でノートパソコンの角度も調整でき、普及に値するである。【選択図】図１
2020181551.tif 000002
【特許請求の範囲】
【請求項１】
正面視で、置き板を含み、前記置き板の前側端面には前方に開口したファンチャンバが左右対称に設置され、前記ファンチャンバの前側内壁には濾過網が固定的に装着され、前記ファンチャンバの後側には噛合チャンバが設置され、前記噛合チャンバと前記ファンチャンバとの間には動力棒が回転可能に装着され、前記動力棒の前側端面にはファンブレードが三枚固定的に装着され、前記ファンチャンバの後側内壁には前記置き板の後側端面を貫通した吹き出し口が四つ設置され、前記動力棒の後側端面には第一傘歯車が固定的に装着され、右側の前記噛合チャンバの右側内壁の中にはモータが固定的に装着され、前記モータのうち左向き出力軸の左側端面には伝動棒が固定的に装着され、前記伝動棒は左側の前記噛合チャンバの右側内壁を貫通しており、前記伝動棒には第二傘歯車が左右対称に、且つ固定的に装着され、前記第二傘歯車と前記第一傘歯車とは噛み合っており、ノートパソコンに放熱を行う時に、前記モータは作動し、前記伝動棒の回転を連動させ、前記伝動棒の回転は前記第二傘歯車の回転を連動させ、前記第二傘歯車は前記第一傘歯車との噛合により前記動力棒の回転を連動させ、前記動力棒の回転は前記ファンブレードの回転を連動させ、前記ファンブレードは熱風を前記ファンチャンバの前側から吸い込み、そして吹き出し口から排出し、前記置き板の後側には固定板が設置され、前記固定板の左側には支持機構が設置され、前記支持機構は前記固定板を支持でき、前記置き板の下方には回転機構が設置され、前記回転機構は前記置き板を回転させることができ、前記固定板の後側には調整機構が設置され、前記調整機構はノートパソコン用放熱スタンド全体の高度を調整でき、前記調整機構は地面に置かれた固定台を含み、前記固定台の前側端面には回転ブロックがスライド可能に装着され、前記回転ブロックは前記調整機構に動力を提供することを特徴とするノートパソコン用放熱スタンド。
【請求項２】
前記支持機構は前記固定板の中に上下対称に設置されたスライド溝を含み、上下の前記固定板の左側には開口溝が連通するように設置され、前記スライド溝の中には支持管がスライド可能に装着され、前記スライド溝には制限溝が連通するように設置され、前記制限溝の中には制限棒がスライド可能に装着され、前記制限棒と前記支持管とは回転可能に装着され、前記制限溝の前側には支持溝が連通するように設置され、前記支持管の右側端面は前記支持溝の中に引っ掛かることができ、
それにより、放熱スタンドを利用する時には、前記支持管を取り出し、そして前記支持管を回転させ、さらに前記支持管を前記支持溝の中に引っ掛け、前記支持管で前記固定板を支えられることを特徴とする請求項１に記載のノートパソコン用放熱スタンド。
【請求項３】
前記回転機構は補助チャンバを含み、前記補助チャンバは前記固定板の中に設置された前記置き板の後側に位置し、前記補助チャンバの下方には連結チャンバが連通するように設置され、前記連結チャンバの左右内壁の間には回転棒が回転可能に装着され、前記回転棒には連結ブロックが固定的に装着され、前記連結ブロックと前記置き板とは固定的に連結され、前記置き板の後側端面には後方に開口した引張りチャンバが設置され、前記引張りチャンバの中には引張りブロックがスライド可能に装着され、前記引張りブロックの中には補助棒が回転可能に装着され、前記補助棒にはＵ型の補助管が固定的に装着され、前記引張りチャンバの前側には移動溝が連通するように設置され、前記移動溝の中には移動ブロックがスライド可能に装着され、前記移動ブロックと前記引張りブロックとは固定的に連結され、前記輔助チャンバの上下内壁の間には連結板が固定的に装着され、前記連結板の前側端面には調整チャンバが設置され、前記補助管は前記調整チャンバの中に引っ掛かることができ、
それにより、前記置き板の角度を調整する時に、手で前記置き板を回転させ、そして前記引張りブロックを移動させ、さらに前記補助管を前記調整チャンバの中に引っ掛けて前記置き板を支えることに用いることを特徴とする請求項１に記載のノートパソコン用放熱スタンド。
【請求項４】
前記調整機構はネジボルトを含み、前記ネジボルトは前記回転ブロックの前側端面に固定的に装着され、前記固定板の後側端面には昇降ブロックが回転可能に装着され、前記昇降ブロックの後側端面には後方に開口したねじ穴が設置され、前記ねじ穴と前記ネジボルトとはネジ山によって装着され、
ノートパソコン用放熱スタンド全体の高度を調整する時に、まず前記昇降ブロックを握り、そして前記回転ブロックを回転させ、それにより、ネジボルトは回転連動され、前記昇降ブロックを上下に移動させることを特徴とする請求項１に記載のノートパソコン用放熱スタンド。
【発明の詳細な説明】
【技術分野】
【０００１】
本発明はスタンド分野を取り上げ、具体的にはノートパソコン用放熱スタンドである。
【背景技術】
【０００２】
普通のノートパソコン用放熱スタンドはテーブルにしか置けなく、ベッドに置いて使用することができない。また、スタンドの高さも調整できないため、ノートパソコンの位置高度も調整できない。さらに、スタンドの支持角度も調整できなく、様々な制限を持っている。
【先行技術文献】
【特許文献】
【０００３】
【特許文献１】中国特許出願公開第１０５３５３８４９号明細書
【発明の概要】
【発明が解決しようとする課題】
【０００４】
本発明はノートパソコン用放熱スタンドを提供し、既存技術にある上記の欠点を解消することを目的とする。
【課題を解決するための手段】
【０００５】
本発明のノートパソコン用放熱スタンドは、置き板を含み、前記置き板の前側端面には前方に開口したファンチャンバが左右対称に設置され、前記ファンチャンバの前側内壁には濾過網が固定的に装着され、前記ファンチャンバの後側には噛合チャンバが設置され、前記噛合チャンバと前記ファンチャンバとの間には動力棒が回転可能に装着され、前記動力棒の前側端面にはファンブレードが三枚固定的に装着され、前記ファンチャンバの後側内壁には前記置き板の後側端面を貫通した吹き出し口が四つ設置され、前記動力棒の後側端面には第一傘歯車が固定的に装着され、右側の前記噛合チャンバの右側内壁の中にはモータが固定的に装着され、前記モータのうち左向き出力軸の左側端面には伝動棒が固定的に装着され、前記伝動棒は左側の前記噛合チャンバの右側内壁を貫通しており、前記伝動棒には第二傘歯車が左右対称に、且つ固定的に装着され、前記第二傘歯車と前記第一傘歯車とは噛み合っており、ノートパソコンに放熱を行う時に、前記モータは作動し、前記伝動棒の回転を連動させ、前記伝動棒の回転は前記第二傘歯車の回転を連動させ、前記第二傘歯車は前記第一傘歯車との噛合により前記動力棒の回転を連動させ、前記動力棒の回転は前記ファンブレードの回転を連動させ、前記ファンブレードは熱風を前記ファンチャンバの前側から吸い込み、そして吹き出し口から排出し、前記置き板の後側には固定板が設置され、前記固定板の左側には支持機構が設置され、前記支持機構は前記固定板を支持でき、前記置き板の下方には回転機構が設置され、前記回転機構は前記置き板を回転させることができ、前記固定板の後側には調整機構が設置され、前記調整機構はノートパソコン用放熱スタンド全体の高度を調整でき、前記調整機構は地面に置かれた固定台を含み、前記固定台の前側端面には回転ブロックがスライド可能に装着され、前記回転ブロックは前記調整機構に動力を提供する。
【０００６】
さらなる技術プランとして、前記支持機構は前記固定板の中に上下対称に設置されたスライド溝を含み、上下の前記固定板の左側には開口溝が連通するように設置され、前記スライド溝の中には支持管がスライド可能に装着され、前記スライド溝には制限溝が連通するように設置され、前記制限溝の中には制限棒がスライド可能に装着され、前記制限棒と前記支持管とは回転可能に装着され、前記制限溝の前側には支持溝が連通するように設置され、前記支持管の右側端面は前記支持溝の中に引っ掛かることができる。
【０００７】
さらなる技術プランとして、前記回転機構は補助チャンバを含み、前記補助チャンバは前記固定板の中に設置された前記置き板の後側に位置し、前記補助チャンバの下方には連結チャンバが連通するように設置され、前記連結チャンバの左右内壁の間には回転棒が回転可能に装着され、前記回転棒には連結ブロックが固定的に装着され、前記連結ブロックと前記置き板とは固定的に連結され、前記置き板の後側端面には後方に開口した引張りチャンバが設置され、前記引張りチャンバの中には引張りブロックがスライド可能に装着され、前記引張りブロックの中には補助棒が回転可能に装着され、前記補助棒にはＵ型の補助管が固定的に装着され、前記引張りチャンバの前側には移動溝が連通するように設置され、前記移動溝の中には移動ブロックがスライド可能に装着され、前記移動ブロックと前記引張りブロックとは固定的に連結され、前記輔助チャンバの上下内壁の間には連結板が固定的に装着され、前記連結板の前側端面には調整チャンバが設置され、前記補助管は前記調整チャンバの中に引っ掛かることができる。
【０００８】
さらなる技術プランとして、前記調整機構はネジボルトを含み、前記ネジボルトは前記回転ブロックの前側端面に固定的に装着され、前記固定板の後側端面には昇降ブロックが回転可能に装着され、前記昇降ブロックの後側端面には後方に開口したねじ穴が設置され、前記ねじ穴と前記ネジボルトとはネジ山によって装着される。
【発明の効果】
【０００９】
本発明の有益な効果は：本発明はスタンドをベッドに置いて利用でき、支持管で支持でき、調整機構でスタンド全体の高度を調整でき、より多くの使用者の需要を満たし、また、回転機構でノートパソコンの角度も調整でき、普及に値するである。
【図面の簡単な説明】
【００１０】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の構成略図
【図２】図２は図１におけるＡ―Ａ方向からの断面構成略図
【図３】図３は本発明の底面構成略図
【図４】図４は図１におけるＢ―Ｂ方向からの断面構成略図
【図５】図５は図１におけるＣ―Ｃ方向からの断面構成略図
【発明を実施するための形態】
【００１２】
図１〜５を参照し、本発明のノートパソコン用放熱スタンドは、置き板１１を含み、前記置き板１１の前側端面には前方に開口したファンチャンバ１７が左右対称に設置され、前記ファンチャンバ１７の前側内壁には濾過網２５が固定的に装着され、前記ファンチャンバ１７の後側には噛合チャンバ２９が設置され、前記噛合チャンバ２９と前記ファンチャンバ１７との間には動力棒２４が回転可能に装着され、前記動力棒２４の前側端面にはファンブレード１８が三枚固定的に装着され、前記ファンチャンバ１７の後側内壁には前記置き板１１の後側端面を貫通した吹き出し口１６が四つ設置され、前記動力棒２４の後側端面には第一傘歯車２６が固定的に装着され、右側の前記噛合チャンバ２９の右側内壁の中にはモータ３０が固定的に装着され、前記モータ３０のうち左向き出力軸の左側端面には伝動棒２８が固定的に装着され、前記伝動棒２８は左側の前記噛合チャンバ２９の右側内壁を貫通しており、前記伝動棒２８には第二傘歯車２７が左右対称に、且つ固定的に装着され、前記第二傘歯車２７と前記第一傘歯車２６とは噛み合っており、ノートパソコンに放熱を行う時に、前記モータ３０は作動し、前記伝動棒２８の回転を連動させ、前記伝動棒２８の回転は前記第二傘歯車２７の回転を連動させ、前記第二傘歯車２７は前記第一傘歯車２６との噛合により前記動力棒２４の回転を連動させ、前記動力棒２４の回転は前記ファンブレード１８の回転を連動させ、前記ファンブレード１８は熱風を前記ファンチャンバ１７の前側から吸い込み、そして吹き出し口１６から排出し、前記置き板１１の後側には固定板２０が設置され、前記固定板２０の左側には支持機構７０が設置され、前記支持機構７０は前記固定板２０を支持でき、前記置き板１１の下方には回転機構８０が設置され、前記回転機構８０は前記置き板１１を回転させることができ、前記固定板２０の後側には調整機構９０が設置され、前記調整機構９０はノートパソコン用放熱スタンド全体の高度を調整でき、前記調整機構９０は地面に置かれた固定台３５を含み、前記固定台３５の前側端面には回転ブロック３６がスライド可能に装着され、前記回転ブロック３６は前記調整機構９０に動力を提供する。
【００１３】
前記支持機構７０は前記固定板２０の中に上下対称に設置されたスライド溝１２を含み、上下の前記固定板２０の左側には開口溝１９が連通するように設置され、前記スライド溝１２の中には支持管１５がスライド可能に装着され、前記スライド溝１２には制限溝１４が連通するように設置され、前記制限溝１４の中には制限棒１３がスライド可能に装着され、前記制限棒１３と前記支持管１５とは回転可能に装着され、前記制限溝１４の前側には支持溝３９が連通するように設置され、前記支持管１５の右側端面は前記支持溝３９の中に引っ掛かることができ、
それにより、放熱スタンドを利用する時には、支持管１５を取り出し、そして支持管１５を回転させ、さらに支持管１５を支持溝３９の中に引っ掛け、支持管１５で固定板２０を支えられる。
【００１４】
前記回転機構８０は補助チャンバ４０を含み、前記補助チャンバ４０は前記固定板２０の中に設置された前記置き板１１の後側に位置し、前記補助チャンバ４０の下方には連結チャンバ２２が連通するように設置され、前記連結チャンバ２２の左右内壁の間には回転棒２３が回転可能に装着され、前記回転棒２３には連結ブロック２１が固定的に装着され、前記連結ブロック２１と前記置き板１１とは固定的に連結され、前記置き板１１の後側端面には後方に開口した引張りチャンバ４５が設置され、前記引張りチャンバ４５の中には引張りブロック４１がスライド可能に装着され、前記引張りブロック４１の中には補助棒４２が回転可能に装着され、前記補助棒４２にはＵ型の補助管３１が固定的に装着され、前記引張りチャンバ４５の前側には移動溝４６が連通するように設置され、前記移動溝４６の中には移動ブロック４７がスライド可能に装着され、前記移動ブロック４７と前記引張りブロック４１とは固定的に連結され、前記輔助チャンバ４０の上下内壁の間には連結板４３が固定的に装着され、前記連結板４３の前側端面には調整チャンバ４４が設置され、前記補助管３１は前記調整チャンバ４４の中に引っ掛かることができ、
それにより、置き板１１の角度を調整する時に、手で置き板１１を回転させ、そして引張りブロック４１を移動させ、さらに補助管３１を調整チャンバ４４の中に引っ掛けて置き板１１を支えることに用いる。
【００１５】
前記調整機構９０はネジボルト３４を含み、前記ネジボルト３４は前記回転ブロック３６の前側端面に固定的に装着され、前記固定板２０の後側端面には昇降ブロック３８が回転可能に装着され、前記昇降ブロック３８の後側端面には後方に開口したねじ穴３２が設置され、前記ねじ穴３２と前記ネジボルト３４とはネジ山によって装着され、
ノートパソコン用放熱スタンド全体の高度を調整する時に、まず昇降ブロック３８を握り、そして回転ブロック３６を回転させ、それにより、ネジボルト３４は回転連動され、昇降ブロック３８を上下に移動させる。
【００１６】
利用時、ノートパソコンに放熱を行う時に、前記モータ３０は作動し、前記伝動棒２８の回転を連動させ、前記伝動棒２８の回転は前記第二傘歯車２７の回転を連動させ、前記第二傘歯車２７は前記第一傘歯車２６の噛合により前記動力棒２４の回転を連動させ、前記動力棒２４の回転は前記ファンブレード１８の回転を連動させ、前記ファンブレード１８は熱風を前記ファンチャンバ１７の前側から吸い込み、そして前記吹き出し口１６から排出し、放熱スタンドを利用する時に、支持管１５を取り出し、そして支持管１５を回転させ、支持管１５を支持溝３９の中に引っ掛け、支持管１５で固定板２０を支えられ、置き板１１の角度を調整する時に、手で置き板１１を回転し、そして引張りブロック４１を移動し、さらに補助管３１を調整チャンバ４４の中に引っ掛け、補助管３１が置き板１１を支持するに用いられ、ノートパソコン用放熱スタンド全体の高度を調整する時に、まず昇降ブロック３８を握り、そして回転ブロック３８を回し、回転ブロック３８の回転によりネジボルト３４は回転連動され、昇降ブロック３８を上下に移動させる。
【００１７】
本発明の有益な効果は：本発明はスタンドをベッドに置いて利用でき、支持管で支持でき、調整機構でスタンド全体の高度を調整でき、より多くの使用者の需要を満たし、また、回転機構でノートパソコンの角度も調整でき、普及に値するである。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020181551.tif 000003
【図２】
2020181551.tif 000004
【図３】
2020181551.tif 000005
【図４】
2020181551.tif 000006
【図５】
2020181551.tif 000007
【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
正面視で、置き板を含み、前記置き板の前側端面には前方に開口したファンチャンバが左右対称に設置され、前記ファンチャンバの前側内壁には濾過網が固定的に装着され、前記ファンチャンバの後側には噛合チャンバが設置され、前記噛合チャンバと前記ファンチャンバとの間には動力棒が回転可能に装着され、前記動力棒の前側端面にはファンブレードが三枚固定的に装着され、前記ファンチャンバの後側内壁には前記置き板の後側端面を貫通した吹き出し口が四つ設置され、前記動力棒の後側端面には第一傘歯車が固定的に装着され、右側の前記噛合チャンバの右側内壁の中にはモータが固定的に装着され、前記モータのうち左向き出力軸の左側端面には伝動棒が固定的に装着され、前記伝動棒は左側の前記噛合チャンバの右側内壁を貫通しており、前記伝動棒には第二傘歯車が左右対称に、且つ固定的に装着され、前記第二傘歯車と前記第一傘歯車とは噛み合っており、ノートパソコンに放熱を行う時に、前記モータは作動し、前記伝動棒の回転を連動させ、前記伝動棒の回転は前記第二傘歯車の回転を連動させ、前記第二傘歯車は前記第一傘歯車との噛合により前記動力棒の回転を連動させ、前記動力棒の回転は前記ファンブレードの回転を連動させ、前記ファンブレードは熱風を前記ファンチャンバの前側から吸い込み、そして吹き出し口から排出し、前記置き板の後側には固定板が設置され、前記固定板の左側には支持機構が設置され、前記支持機構は前記固定板を支持でき、前記置き板の下方には回転機構が設置され、前記回転機構は前記置き板を回転させることができ、前記固定板の後側には調整機構が設置され、前記調整機構はノートパソコン用放熱スタンド全体の高度を調整でき、前記調整機構は地面に置かれた固定台を含み、前記固定台の前側端面には回転ブロックが回転可能に装着されることを特徴とするノートパソコン用放熱スタンド。
【請求項２】
前記支持機構は前記固定板の中に上下対称に設置されたスライド溝を含み、上下の前記固定板の左側には開口溝が連通するように設置され、前記スライド溝の中には支持管がスライド可能に装着され、前記スライド溝には制限溝が連通するように設置され、前記制限溝の中には制限棒がスライド可能に装着され、前記制限棒が前記支持管に対し回転可能に装着され、前記制限溝の前側には支持溝が連通するように設置され、前記支持管の右側端面は前記支持溝の中に引っ掛かることができ、
それにより、放熱スタンドを利用する時には、前記支持管を取り出し、そして前記支持管を回転させ、さらに前記支持管を前記支持溝の中に引っ掛け、前記支持管で前記固定板を支えられることを特徴とする請求項１に記載のノートパソコン用放熱スタンド。
【請求項３】
前記回転機構は補助チャンバを含み、前記補助チャンバは前記固定板の中に設置された前記置き板の後側に位置し、前記補助チャンバの下方には連結チャンバが連通するように設置され、前記連結チャンバの左右内壁の間には回転棒が回転可能に装着され、前記回転棒には連結ブロックが固定的に装着され、前記連結ブロックと前記置き板とは固定的に連結され、前記置き板の後側端面には後方に開口した引張りチャンバが設置され、前記引張りチャンバの中には引張りブロックがスライド可能に装着され、前記引張りブロックの中には補助棒が回転可能に装着され、前記補助棒にはＵ型の補助管が固定的に装着され、前記引張りチャンバの前側には移動溝が連通するように設置され、前記移動溝の中には移動ブロックがスライド可能に装着され、前記移動ブロックと前記引張りブロックとは固定的に連結され、前記補助チャンバの上下内壁の間には連結板が固定的に装着され、前記連結板の前側端面には調整チャンバが設置され、前記補助管は前記調整チャンバの中に引っ掛かることができ、
それにより、前記置き板の角度を調整する時に、手で前記置き板を回転させ、そして前記引張りブロックを移動させ、さらに前記補助管を前記調整チャンバの中に引っ掛けて前記置き板を支えることに用いることを特徴とする請求項１に記載のノートパソコン用放熱スタンド。
【請求項４】
前記調整機構はネジボルトを含み、前記ネジボルトは前記回転ブロックの前側端面に固定的に装着され、前記固定板の後側端面には昇降ブロックが回転可能に装着され、前記昇降ブロックの後側端面には後方に開口したねじ穴が設置され、前記ねじ穴と前記ネジボルトとはネジ山によって装着され、
ノートパソコン用放熱スタンド全体の高度を調整する時に、まず前記昇降ブロックを握り、そして前記回転ブロックを回転させ、それにより、ネジボルトは回転連動され、前記昇降ブロックを前後に移動させることを特徴とする請求項１に記載のノートパソコン用放熱スタンド。
【手続補正２】
【補正対象書類名】明細書
【補正対象項目名】全文
【補正方法】変更
【補正の内容】
【発明の詳細な説明】
【技術分野】
【０００１】
本発明はスタンド分野を取り上げ、具体的にはノートパソコン用放熱スタンドである。
【背景技術】
【０００２】
普通のノートパソコン用放熱スタンドはテーブルにしか置けなく、ベッドに置いて使用することができない。また、スタンドの高さも調整できないため、ノートパソコンの位置高度も調整できない。さらに、スタンドの支持角度も調整できなく、様々な制限を持っている。
【先行技術文献】
【特許文献】
【０００３】
【特許文献１】中国特許出願公開第１０５３５３８４９号明細書
【発明の概要】
【発明が解決しようとする課題】
【０００４】
本発明はノートパソコン用放熱スタンドを提供し、既存技術にある上記の欠点を解消することを目的とする。
【課題を解決するための手段】
【０００５】
本発明のノートパソコン用放熱スタンドは、置き板を含み、前記置き板の前側端面には前方に開口したファンチャンバが左右対称に設置され、前記ファンチャンバの前側内壁には濾過網が固定的に装着され、前記ファンチャンバの後側には噛合チャンバが設置され、前記噛合チャンバと前記ファンチャンバとの間には動力棒が回転可能に装着され、前記動力棒の前側端面にはファンブレードが三枚固定的に装着され、前記ファンチャンバの後側内壁には前記置き板の後側端面を貫通した吹き出し口が四つ設置され、前記動力棒の後側端面には第一傘歯車が固定的に装着され、右側の前記噛合チャンバの右側内壁の中にはモータが固定的に装着され、前記モータのうち左向き出力軸の左側端面には伝動棒が固定的に装着され、前記伝動棒は左側の前記噛合チャンバの右側内壁を貫通しており、前記伝動棒には第二傘歯車が左右対称に、且つ固定的に装着され、前記第二傘歯車と前記第一傘歯車とは噛み合っており、ノートパソコンに放熱を行う時に、前記モータは作動し、前記伝動棒の回転を連動させ、前記伝動棒の回転は前記第二傘歯車の回転を連動させ、前記第二傘歯車は前記第一傘歯車との噛合により前記動力棒の回転を連動させ、前記動力棒の回転は前記ファンブレードの回転を連動させ、前記ファンブレードは熱風を前記ファンチャンバの前側から吸い込み、そして吹き出し口から排出し、前記置き板の後側には固定板が設置され、前記固定板の左側には支持機構が設置され、前記支持機構は前記固定板を支持でき、前記置き板の下方には回転機構が設置され、前記回転機構は前記置き板を回転させることができ、前記固定板の後側には調整機構が設置され、前記調整機構はノートパソコン用放熱スタンド全体の高度を調整でき、前記調整機構は地面に置かれた固定台を含み、前記固定台の前側端面には回転ブロックが回転可能に装着される。
【０００６】
さらなる技術プランとして、前記支持機構は前記固定板の中に上下対称に設置されたスライド溝を含み、上下の前記固定板の左側には開口溝が連通するように設置され、前記スライド溝の中には支持管がスライド可能に装着され、前記スライド溝には制限溝が連通するように設置され、前記制限溝の中には制限棒がスライド可能に装着され、前記制限棒が前記支持管に対し回転可能に装着され、前記制限溝の前側には支持溝が連通するように設置され、前記支持管の右側端面は前記支持溝の中に引っ掛かることができる。
【０００７】
さらなる技術プランとして、前記回転機構は補助チャンバを含み、前記補助チャンバは前記固定板の中に設置された前記置き板の後側に位置し、前記補助チャンバの下方には連結チャンバが連通するように設置され、前記連結チャンバの左右内壁の間には回転棒が回転可能に装着され、前記回転棒には連結ブロックが固定的に装着され、前記連結ブロックと前記置き板とは固定的に連結され、前記置き板の後側端面には後方に開口した引張りチャンバが設置され、前記引張りチャンバの中には引張りブロックがスライド可能に装着され、前記引張りブロックの中には補助棒が回転可能に装着され、前記補助棒にはＵ型の補助管が固定的に装着され、前記引張りチャンバの前側には移動溝が連通するように設置され、前記移動溝の中には移動ブロックがスライド可能に装着され、前記移動ブロックと前記引張りブロックとは固定的に連結され、前記補助チャンバの上下内壁の間には連結板が固定的に装着され、前記連結板の前側端面には調整チャンバが設置され、前記補助管は前記調整チャンバの中に引っ掛かることができる。
【０００８】
さらなる技術プランとして、前記調整機構はネジボルトを含み、前記ネジボルトは前記回転ブロックの前側端面に固定的に装着され、前記固定板の後側端面には昇降ブロックが回転可能に装着され、前記昇降ブロックの後側端面には後方に開口したねじ穴が設置され、前記ねじ穴と前記ネジボルトとはネジ山によって装着される。
【発明の効果】
【０００９】
本発明の有益な効果は：本発明はスタンドをベッドに置いて利用でき、支持管で支持でき、調整機構でスタンド全体の高度を調整でき、より多くの使用者の需要を満たし、また、回転機構でノートパソコンの角度も調整でき、普及に値するである。
【図面の簡単な説明】
【００１０】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の構成略図
【図２】図２は図１におけるＡ―Ａ方向からの断面構成略図
【図３】図３は本発明の底面構成略図
【図４】図４は図１におけるＢ―Ｂ方向からの断面構成略図
【図５】図５は図１におけるＣ―Ｃ方向からの断面構成略図
【発明を実施するための形態】
【００１２】
図１〜５を参照し、本発明のノートパソコン用放熱スタンドは、置き板１１を含み、前記置き板１１の前側端面には前方に開口したファンチャンバ１７が左右対称に設置され、前記ファンチャンバ１７の前側内壁には濾過網２５が固定的に装着され、前記ファンチャンバ１７の後側には噛合チャンバ２９が設置され、前記噛合チャンバ２９と前記ファンチャンバ１７との間には動力棒２４が回転可能に装着され、前記動力棒２４の前側端面にはファンブレード１８が三枚固定的に装着され、前記ファンチャンバ１７の後側内壁には前記置き板１１の後側端面を貫通した吹き出し口１６が四つ設置され、前記動力棒２４の後側端面には第一傘歯車２６が固定的に装着され、右側の前記噛合チャンバ２９の右側内壁の中にはモータ３０が固定的に装着され、前記モータ３０のうち左向き出力軸の左側端面には伝動棒２８が固定的に装着され、前記伝動棒２８は左側の前記噛合チャンバ２９の右側内壁を貫通しており、前記伝動棒２８には第二傘歯車２７が左右対称に、且つ固定的に装着され、前記第二傘歯車２７と前記第一傘歯車２６とは噛み合っており、ノートパソコンに放熱を行う時に、前記モータ３０は作動し、前記伝動棒２８の回転を連動させ、前記伝動棒２８の回転は前記第二傘歯車２７の回転を連動させ、前記第二傘歯車２７は前記第一傘歯車２６との噛合により前記動力棒２４の回転を連動させ、前記動力棒２４の回転は前記ファンブレード１８の回転を連動させ、前記ファンブレード１８は熱風を前記ファンチャンバ１７の前側から吸い込み、そして吹き出し口１６から排出し、前記置き板１１の後側には固定板２０が設置され、前記固定板２０の左側には支持機構７０が設置され、前記支持機構７０は前記固定板２０を支持でき、前記置き板１１の下方には回転機構が設置され、前記回転機構は前記置き板１１を回転させることができ、前記固定板２０の後側には調整機構が設置され、前記調整機構はノートパソコン用放熱スタンド全体の高度を調整でき、前記調整機構は地面に置かれた固定台３５を含み、前記固定台３５の前側端面には回転ブロック３６が回転可能に装着される。
【００１３】
前記支持機構７０は前記固定板２０の中に上下対称に設置されたスライド溝１２を含み、上下の前記固定板２０の左側には開口溝１９が連通するように設置され、前記スライド溝１２の中には支持管１５がスライド可能に装着され、前記スライド溝１２には制限溝１４が連通するように設置され、前記制限溝１４の中には制限棒１３がスライド可能に装着され、前記制限棒１３が前記支持管１５に対し回転可能に装着され、前記制限溝１４の前側には支持溝３９が連通するように設置され、前記支持管１５の右側端面は前記支持溝３９の中に引っ掛かることができ、
それにより、放熱スタンドを利用する時には、支持管１５を取り出し、そして支持管１５を回転させ、さらに支持管１５を支持溝３９の中に引っ掛け、支持管１５で固定板２０を支えられる。
【００１４】
前記回転機構は補助チャンバ４０を含み、前記補助チャンバ４０は前記固定板２０の中に設置された前記置き板１１の後側に位置し、前記補助チャンバ４０の下方には連結チャンバ２２が連通するように設置され、前記連結チャンバ２２の左右内壁の間には回転棒２３が回転可能に装着され、前記回転棒２３には連結ブロック２１が固定的に装着され、前記連結ブロック２１と前記置き板１１とは固定的に連結され、前記置き板１１の後側端面には後方に開口した引張りチャンバ４５が設置され、前記引張りチャンバ４５の中には引張りブロック４１がスライド可能に装着され、前記引張りブロック４１の中には補助棒４２が回転可能に装着され、前記補助棒４２にはＵ型の補助管３１が固定的に装着され、前記引張りチャンバ４５の前側には移動溝４６が連通するように設置され、前記移動溝４６の中には移動ブロック４７がスライド可能に装着され、前記移動ブロック４７と前記引張りブロック４１とは固定的に連結され、前記補助チャンバ４０の上下内壁の間には連結板４３が固定的に装着され、前記連結板４３の前側端面には調整チャンバ４４が設置され、前記補助管３１は前記調整チャンバ４４の中に引っ掛かることができ、
それにより、置き板１１の角度を調整する時に、手で置き板１１を回転させ、そして引張りブロック４１を移動させ、さらに補助管３１を調整チャンバ４４の中に引っ掛けて置き板１１を支えることに用いる。
【００１５】
前記調整機構はネジボルト３４を含み、前記ネジボルト３４は前記回転ブロック３６の前側端面に固定的に装着され、前記固定板２０の後側端面には昇降ブロック３８が回転可能に装着され、前記昇降ブロック３８の後側端面には後方に開口したねじ穴３２が設置され、前記ねじ穴３２と前記ネジボルト３４とはネジ山によって装着され、
ノートパソコン用放熱スタンド全体の高度を調整する時に、まず昇降ブロック３８を握り、そして回転ブロック３６を回転させ、それにより、ネジボルト３４は回転連動され、昇降ブロック３８を前後に移動させる。
【００１６】
利用時、ノートパソコンに放熱を行う時に、前記モータ３０は作動し、前記伝動棒２８の回転を連動させ、前記伝動棒２８の回転は前記第二傘歯車２７の回転を連動させ、前記第二傘歯車２７は前記第一傘歯車２６の噛合により前記動力棒２４の回転を連動させ、前記動力棒２４の回転は前記ファンブレード１８の回転を連動させ、前記ファンブレード１８は熱風を前記ファンチャンバ１７の前側から吸い込み、そして前記吹き出し口１６から排出し、放熱スタンドを利用する時に、支持管１５を取り出し、そして支持管１５を回転させ、支持管１５を支持溝３９の中に引っ掛け、支持管１５で固定板２０を支えられ、置き板１１の角度を調整する時に、手で置き板１１を回転し、そして引張りブロック４１を移動し、さらに補助管３１を調整チャンバ４４の中に引っ掛け、補助管３１が置き板１１を支持するに用いられ、ノートパソコン用放熱スタンド全体の高度を調整する時に、まず昇降ブロック３８を握り、そして回転ブロック３８を回し、回転ブロック３８の回転によりネジボルト３４は回転連動され、昇降ブロック３８を上下に移動させる。
【００１７】
本発明の有益な効果は：本発明はスタンドをベッドに置いて利用でき、支持管で支持でき、調整機構でスタンド全体の高度を調整でき、より多くの使用者の需要を満たし、また、回転機構でノートパソコンの角度も調整でき、普及に値するである。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。